(57)【要約】      （修正有）【課題】繰り返しの使用によってもへたらず、ジョイント部の保持力が低下せず、関節を曲げる角度が確実に保持、静止及び細かな角度調整ができ、さらには簡易な嵌合構造により、小型人形に使用可能とした小型人形用可動関節構成部材を提供する。【解決手段】人形用可動関節構成部材であって、一方側回動基部５と、円柱状差し込み部７と、第１貫通孔９と、波状凹凸部１０とを有する第１関節構成部材２と、他方側回動基部と、円柱状差し込み部と、貫通形成された第２貫通孔と、波状の接触突片と、を有する第２関節構成部材と、を有し、第１貫通孔と、第２貫通孔とを連通し第１貫通孔及び第２貫通孔内に連結軸部材を嵌入して、連結軸部材を軸芯として回動可能に連結し、関節の動き動作並びに関節の動き音を疑似発生させる。【選択図】図１
0003135024.tif 000002
【実用新案登録請求の範囲】
【請求項１】
略円盤状をなす一方側回動基部と、
該一方側回動基部より突設された円柱状差し込み部と、
前記一方側回動基部のフラット状表裏面略中央位置で、前記フラット状表裏面を貫通する第１貫通孔と、
該一方側回動基部外周端面に設けられる波状凹凸に形成された波状凹凸部と、
を有する第１関節構成部材と、  
略球状をなす膨出部を有し、該膨出部が先端から基端に向かって凹状に切り欠かれて凹状切り欠き部を有する他方側回動基部と、
該他方側回動基部の基端より、前記凹状切り欠き部の反対側へ突出するよう設けられた円柱状差し込み部と、
前記他方側回動基部の略中央位置で、前記凹状切り欠き部の両側壁を略直交して貫通形成された第２貫通孔と、
前記凹状切り欠き部の底面から切り欠き方向へ突設された波状の凸部なる接触突片と、を有する第２関節構成部材と、を有し、
前記一方側回動基部の第１貫通孔と、前記他方側回動基部の第２貫通孔とを連通状態とし、連通した前記第１貫通孔及び第２貫通孔内に連結軸部材を嵌入して、
前記一方側回動基部と前記他方側回動基部とが、前記連結軸部材を軸芯として回動可能に連結すると共に、回動時には、前記波状凹凸部と接触突片とが接触して、関節の動き動作並びに関節の動き音を疑似発生させる、
ことを特徴とする小型人形用可動関節構成部材。
【請求項２】
前記第１関節構成部材及び第２関節構成部材の円柱状差し込み部の外周面には、先端側から基端側に向けて拡開する略スカート状抜け止め片が間隔をあけて複数個形成された、
ことを特徴とする請求項１記載の小型人形用可動関節構成部材。
【請求項３】
前記波状凹凸部及び接触突片は、頂角が鋭角をなす三角状のギア形状に形成された、
ことを特徴とする請求項１または請求項２記載の小型人形用可動関節構成部材。
【考案の詳細な説明】
【技術分野】
【０００１】
この考案は、フィギュアなど人形の脚、手等各部位における可動する関節箇所に用いられる人形用可動関節部材、特にきわめて小型の人形に用いられる小型人形用可動関節部材に関するものである。
【背景技術】
【０００２】
従来一般的に、フィギュアに代表されるこの種の関節可動人形における関節可動部材には、極力人の動きをリアルに模倣するように構成されており、前記関節の可動部が広範囲であり、しかもワイドに回動するよう球型ジャーナル部材と球面軸受部材とをはめ込む構成からなるボールジョイントなどが一般的に知られている。
【特許文献１】実公平６−４７５０５号公報
【考案の開示】
【考案が解決しようとする課題】
【０００３】
しかしながら、上記の従来の関節可動部材では、長期間にわたる繰り返しの使用によって、曲げるとへたるという症状が生じてしまい、もって関節可動部において、ジョイント部の保持力の低下が見受けられ、関節を曲げる角度によっては、その角度が保持出来ず、静止できずに可働してしまうとの課題があった。
また、関節可動人形における前記関節可動部材と、該関節可動部材を人形本体に連結する連結パーツ部材との連結保持力についても、例えば、その連結部分の形状などから考察すると、従来では、前記連結パーツ部材と前記関節可動部材の連結力が弱いものであり、長期間の繰り返し使用によっては連結離脱を生じてしまうとの課題があった。
かくして、本考案は、前記従来の課題に対処すべく案出されたものであり、繰り返しの使用によっても、へたるという症状が生じず、もって関節可動部において、ジョイント部の保持力が低下せず、関節を曲げる角度によって、その角度が確実に保持出来て静止でき、各可動関節部において細かな角度調整ができ、さらには簡易な嵌合構造による小型化の実現により、きわめて小型の人形においても各可動関節部に使用できる小型人形用可動関節構成部材を提供することを目的とするものである。
【課題を解決するための手段】
【０００４】
本考案による小型人形用可動関節構成部材は、
略円盤状をなす一方側回動基部と、該一方側回動基部より突設された円柱状差し込み部と、前記一方側回動基部のフラット状表裏面略中央位置で、前記フラット状表裏面を貫通する第１貫通孔と、該一方側回動基部外周端面に設けられる波状凹凸に形成された波状凹凸部と、
を有する第１関節構成部材と、  
略球状をなす膨出部を有し、該膨出部が先端から基端に向かって凹状に切り欠かれて凹状切り欠き部を有する他方側回動基部と、該他方側回動基部の基端より、前記凹状切り欠き部の反対側へ突出するよう設けられた円柱状差し込み部と、前記他方側回動基部の略中央位置で、前記凹状切り欠き部の両側壁を略直交して貫通形成された第２貫通孔と、前記凹状切り欠き部の底面から切り欠き方向へ突設された波状の凸部なる接触突片と、を有する第２関節構成部材と、を有し、
前記一方側回動基部の第１貫通孔と、前記他方側回動基部の第２貫通孔とを連通状態とし、連通した第１貫通孔及び第２貫通孔内に連結軸部材を嵌入して、前記一方側回動基部と前記他方側回動基部とが、前記連結軸部材を軸芯として回動可能に連結すると共に、回動時には、前記波状凹凸部と接触突片とが接触して、関節の動き動作並びに関節の動き音を疑似発生させる、
ことを特徴とし、
または、
前記第１関節構成部材及び第２関節構成部材の円柱状差し込み部の外周面には、先端側から基端側に向けて拡開する略スカート状抜け止め片が間隔をあけて複数個形成された、
ことを特徴とし、
または、
前記波状凹凸部及び接触突片は、頂角が鋭角をなす三角状のギア形状に形成された、
ことを特徴とするものである。
【考案の効果】
【０００５】
本考案による小型人形用可動関節構成部材であれば、
繰り返しの使用によっても、へたるという症状が生じず、もって関節可動部において、ジョイント部の保持力が低下せず、関節を曲げる角度によって、その角度が確実に保持出来、静止でき、各可動関節部において細かな角度調節ができ、さらには簡易な嵌合構造による小型化の実現により、きわめて小型な人形の各可動関節部にも用いることが可能となるなど優れた効果を奏する。
【考案を実施するための最良の形態】
【０００６】
以下、本考案を図に示す最良の実施の形態に基づいて説明する。
本考案による小型人形用可動関節構成部材１は、第１関節構成部材２と第２関節構成部材３と、この第１関節構成部材２と第２関節構成部材３とを連結するために使用される連結軸部材４とを有して構成されている。
【０００７】
まず、図１において示されているように、第１関節構成部材２は、略円盤状をなす一方側回動基部５を有する。そして、この略円盤状をなす一方側回動基部５の所定の外周位置からは、外側に向かって延びる円柱状差し込み部７を有して構成されている。
【０００８】
また、前記円柱状差し込み部７の外周面には、先端側から基端側に向けて拡開する略スカート状抜け止め片８・・・が長手方向に向けて所定間隔をあけて複数個形成されている。しかして、図１では３個形成されているが、この数個に限定されるものではない。なお、図８及び図９に示すように前記円柱状差し込み部７に前記抜け止め片８・・・を構成しないタイプを使用しても構わないものとする。
【０００９】
また、前記略円盤状をなす一方側回動基部５は、フラット状をなす表裏面６を有しており、この略中央位置には該フラット状表裏面を上下方向に貫通する第１貫通孔９が穿設されている。
さらに略円盤状をなす一方側回動基部５の外周端面には波状で形成される波状凹凸部１０が、前記円柱状差し込み部７の突設位置を残して、その他すべてに形成されている。
なお、前記波状凹凸部１０は、図３に示すように、頂角が鋭角をなす三角状のギア形状に形成しても構わないものである。
【００１０】
ここで、前記一方側回動基部５の直径は何ら限定されるものではなく、また前記円柱状差し込み部７を含む前記小型人形用可動関節構成部材１全長、前記円柱状差し込み部７の直径も何ら限定されるものではないが、一般に数規格に規格化されているので前記規格内の数値に設定されるものとなる。
【００１１】
具体的には前記一方側回動基部５の直径を４mmとし、前記円柱状差し込み部７を含む前記小型人形用可動関節構成部材１全長を１２mm、前記円柱状差し込み部７の直径を１．５mmに規格し、
あるいは前記一方側回動基部５の直径を６mmとし、前記円柱状差し込み部７を含む前記小型人形用可動関節構成部材１全長を２０mm、前記円柱状差し込み部７の直径を２．０mmに規格することが多いと考えられる。
【００１２】
次に、第２関節構成部材３は、図２において示されているように、略球状をなす膨出部を有し、該膨出部が先端から基端に向かって凹状に切り欠かれて凹状切り欠き部１２を有する他方側回動基部１１とされている。
【００１３】
該他方側回動基部１１には、前記一方側回動基部５の形状、すなわち厚みあるいは径の長さに対応した厚み及び長さで凹状に切り欠き、もって凹状切り欠き部１２が形成されている。
そして、前記一方側回動基部５及び連結軸部材４と一体的に接続されて、これら３部材を嵌合させ、組み立てられた状態で略球体状をなすように形成されている。
【００１４】
また、前記他方側回動基部１１の外周位置からも、前述した一方側回動基部５と同様に、前記他方側回動基部１１の基端より前記凹状切り欠き部１２の反対方向へ突出するように設けられた円柱状差し込み部７を有して構成されている。
【００１５】
この円柱状差し込み部７の外周面においても、第１関節構成部材２に設けられた円柱状差し込み部７と同様に、先端側から基端側に向けて拡開する略スカート状抜け止め片８・・・が間隔をあけて複数個形成されている。
そして、図に示す実施例では３個形成されているが、やはり、この数個に限定されなくとも構わない。
なお、図８及び図９に示すように前記円柱状差し込み部７に前記抜け止め片８・・・を構成しないタイプを使用しても構わない。
【００１６】
また、前記他方側回動基部１１の略中央位置には前記凹状切り欠き部１２の両側壁を略直交するよう貫通形成された第２貫通孔１３が穿設されており、さらに図２に示されるように前記凹状切り欠き部１２底面位置からは、凹状切り欠き部１２の底面において凸片状の接触突片１４が形成されている。
【００１７】
なお図４に示されるように  前述の図３に示す前記波状凹凸部１０を頂角が鋭角をなす三角状のギア形状に形成した波状凹凸部１０をもって構成した場合においては、この波状凹凸部１０の形状に対応するような形状、すなわち頂角が鋭角をなす三角状のギア形状に形成した接触突片１４とすることが好ましい。
【００１８】
ここで、前記他方側回動基部１１の直径は何ら限定されるものではなく、また前記円柱状差し込み部７を含む前記小型人形用可動関節構成部材１全長、前記円柱状差し込み部７の直径も何ら限定されるものではないが、一般に数規格に規格化されているので前記規格内の数値に設定される。
【００１９】
具体的には前記他方側回動基部１１の直径を４mmとし、前記円柱状差し込み部７を含む前記小型人形用可動関節構成部材１全長を１２mm、前記円柱状差し込み部７の直径を１．５mmに規格し、あるいは前記一方側回動基部５の直径を６mmとし、前記円柱状差し込み部７を含む前記小型人形用可動関節構成部材１全長を２０mm、前記円柱状差し込み部７の直径を２．０mmに規格するものとする。
【００２０】
しかして、前述の前記一方側回動基部５の各種規格化された数値に対応した数値を有する前記他方側回動基部１１をもって実施される。
【００２１】
次に、連結軸部材４の構成につき説明する。図５において示されているとおり、該連結軸部材４は、前記一方側回動基部５と他方側回動基部１１を嵌合させ、前記第１貫通孔９及び第２貫通孔１３を連通状態とし、連通した該第１貫通孔９及び第２貫通孔１３内に嵌合可能な直径及び長さをもって構成された略円柱状からなる嵌合部１５と、該嵌合部１５一方側端部に形成された前記第２貫通孔１３における嵌入位置表面で係止可能なよう略半球ドーム状によって形成される嵌合係止部１６により構成されている。
【００２２】
ここで、前記嵌合部１５及び嵌合係止部１６の直径及び長さは何ら限定されるものではないが、一般に数規格に規格化されているので前記規格内の数値に設定される。
具体的には前記一方側回動基部５及び他方側回動基部１１に形成される前記第1貫通孔９及び第２貫通孔１３の直径及び貫通孔の長さに対応した数値を有する連結軸部材４が実施される。  
【００２３】
次に、本考案による小型人形用可動関節構成部材１の組み立て方法及び使用状態につき説明する。
図７及び図９から理解されるように、第２関節構成部材３の前記凹状切り欠き部１２内に第１関節構成部材２の前記一方側回動基部５を差し込んで嵌合する。
この際、第１関節構成部材２及び第２関節構成部材３のそれぞれの前記円柱状差し込み部材７、７は略一直線上になるよう配置して差し込み作業をするのがよい。
その後、前記一方側回動基部５と他方側回動基部１１の嵌合により連通状態となった第１貫通孔９、第２貫通孔１３内に連結軸部材４における前記嵌合部１５を打ち込むように嵌入する。
【００２４】
すると、第１関節構成部材２の一方側回動基部５及び第２関節構成部材３の他方側回動基部１１における凹状切り欠き部１２が密着し、また、連結軸部材４の形状をもって略球状の関節回動部が形成されるものとなる（図７及び図９参照）。
しかして、前記一方側回動基部５と他方側回動基部１１とが、前記連結軸部材４を軸芯として回動可能に連結され、それぞれの前記円柱状差し込み部材７，７を操作して、前記略球状の関節回動部を基点としてスムーズな曲げ操作が行える。
【００２５】
そして、この曲げ操作を行っている際、すなわち回動時には前記第１関節構成部材２の前記波状凹凸部１０が前記他方側回動基部１１の前記接触突片１４に接触し、例えば「カチ、カチ」と関節の動き音を発生させるものとされる。
しかして、前記波状凹凸部１２の接触突片１４との接触作用により、係止が可能とされ、関節可動部において、関節を曲げる角度によって、その角度が確実に保持出来、静止でき、細かな角度調整が可能な関節の動き動作、並びに関節の動き音を疑似発生させるものとする。
【００２６】
さらには簡易な嵌合構造による可動関節部材の小型化の実現により、小型人形用可動関節構成部材１はフィギュアなどにおいてきわめて小型をなす各種小型人形の可動する関節箇所に使用できる。
【００２７】
ここで、図１０に示すように、例えば小型人形１７の脚１８の関節部分に使用した状態で説明する。
取り付けに際しては、脚１８の関節部分の下側連結部に取り付け用の取付孔１９が設けられ、上側連結部にも取付孔１９が設けられているので、これら取付孔１９，１９におのおの円柱状差し込み部７，７を差し込めば簡単に取り付けできる。
【００２８】
この際、円柱状差し込み部７の外周面には、前記したように先端側から基端側に向けて拡開する略スカート状抜け止め片８・・・が間隔をあけて複数個形成されているため、安易に取付孔１９からこの小型人形用可動関節構成部材１が抜け落ちることがない。
しかも、略スカート状抜け止め８・・・がリング状に設けられているため、略円柱状差し込み部７の軸方向を軸として、当該略円柱状差し込み部７を回動することができ、もって語方人形用可動関節構成部材１の簡単な取り付け微調整もできる。
【００２９】
また、図８及び図９に示すとおり、前記円柱状差し込み部７に前記抜け止め片８・・・を構成しないタイプをもって実施しても構わないものとする。
【００３０】
なお、これら小型人形用可動関節構成部材１を構成する部材、例えば第１関節構成部材２などを通常ポリカーボネート樹脂で形成してもかまわない。ポリカーボネート樹脂は強度が高く、価格も比較的安価だからである。
【００３１】
全部の構成部品を、すなわち第１関節構成部材２、第２関節構成部材３及び連結軸部材４をポリカーボネート樹脂製としてもかまわないし、第１関節構成部材２のみ、あるいは第２関節構成部材３のみ、あるいは第１関節構成部材２、第２関節構成部材３について、あるいは第１関節構成部材２、第２関節構成部材３及び連結軸部材４のすべての部品をポリカーボネート樹脂製としてもかまわないものである。
【００３２】
さらに、これら部材をすべてポリアミド製樹脂、例えばナイロン樹脂で形成することもできる。ナイロン樹脂は比較的柔軟性があり、小型人形用可動関節構成部材１の組み立てに適している。また、ポリカーボネート樹脂製やナイロン樹脂製の部材をそれぞれ組み合わせて形成してもかまわない。
【図面の簡単な説明】
【００３３】
【図１】本考案による人形用可動関節構成部材の構成の分解構成説明図（その1）である。
【図２】本考案による小型人形用可動関節構成部材の構成の分解構成説明図（その２）である。
【図３】本考案による小型人形用可動関節構成部材の構成の分解構成説明図（その３）である。
【図４】本考案による小型人形用可動関節構成部材の構成の分解構成説明図（その４）である。
【図５】本考案による小型人形用可動関節構成部材の構成の分解構成説明図（その５）である。
【図６】本考案による小型人形用可動関節構成部材の構成を説明する平面図（その１）である。
【図７】本考案による小型人形用可動関節構成部材の構成を説明する側面図（その１）である。
【図８】本考案による小型人形用可動関節構成部材の構成を説明する平面図（その２）である。
【図９】本考案による小型人形用可動関節構成部材の構成を説明する側面図（その２）である。
【図１０】本考案による小型人形用可動関節構成部材の使用状態を説明する説明図である。
【符号の説明】
【００３４】
１      小型人形用可動関節構成部材
２      第１関節構成部材
３      第２関節構成部材
４      連結軸部材
５      一方側回動基部
６      フラット状表裏面
７      円柱状差し込み部
８      スカート状抜け止め片
９      第1貫通孔
１０    波状凹凸部
１１    他方側回動基部
１２    切り欠き部
１３    第２貫通孔
１４    接触突片
１５    嵌合部
１６    嵌合係止部
１７    小型人形  
１８    脚
１９    取付孔    
【図１】
0003135024.tif 000003
【図２】
0003135024.tif 000004
【図３】
0003135024.tif 000005
【図４】
0003135024.tif 000006
【図５】
0003135024.tif 000007
【図６】
0003135024.tif 000008
【図７】
0003135024.tif 000009
【図８】
0003135024.tif 000010
【図９】
0003135024.tif 000011
【図１０】
0003135024.tif 000012